(57)【要約】【課題】対面式販売領域（有人店舗部）、自動販売機等の無人販売（無人店舗部）を容易に変更可能とさせるとともに、商品の販売領域の拡大・縮小が可能とさせる有無人ユニット店舗を提供することを課題とする。【解決手段】商品の販売に販売員が関与する有人販売ユニット１と、商品の販売に販売員が関与しない無人販売ユニット２と、有人販売ユニット１と無人販売ユニット１とが並設される並設用構造物３とを備え、有人販売ユニット１及び無人販売ユニット２の形状等を共通化させて形成し、並設用構造物３は、有人販売ユニット１と無人販売ユニット１とが選択的にスライド収容される複数の収容空間３６を備える有無人ユニット店舗により、上記課題を解決する。【選択図】                図１
2004332245.tif 000002
【特許請求の範囲】
【請求項１】
商品の販売に販売員が関与する有人販売ユニットと、商品の販売に販売員が関与しない無人販売ユニットと、有人販売ユニットと無人販売ユニットとが並設される並設用構造物とを備え、
前記有人販売ユニット及び前記無人販売ユニットは、形状等を共通化させて形成され、
前記並設用構造物は、前記有人販売ユニットと前記無人販売ユニットとが選択的にスライド収容される複数の収容空間を備えることを特徴とする有無人ユニット店舗。
【請求項２】
請求項１記載の有無人ユニット店舗において、前記有人販売ユニット又は前記無人販売ユニットで販売される商品を展示、陳列する商品展示ユニットが設けられるとともに、前記商品展示ユニットが前記有人販売ユニット及び前記無人販売ユニットの形状等と共通化されて形成されることを特徴とする有無人ユニット店舗。
【請求項３】
請求項１又は２記載の有無人ユニット店舗において、前記有人販売ユニット又は前記無人販売ユニットで販売される商品の宣伝、広告情報を表示する広告ユニットが設けられるとともに、前記広告ユニットが前記有人販売ユニット及び前記無人販売ユニットの形状等と共通化されて形成されることを特徴とする有無人ユニット店舗。
【請求項４】
請求項１〜３いずれか記載の有無人ユニット店舗において、前記並設用構造物は移動手段を備えていることを特徴とする有無人ユニット店舗。
【請求項５】
請求項１〜４いずれか記載の有無人ユニット店舗において、前記並設用構造物は、前記収容空間の背部側に予備空間を備えていることを特徴とする有無人ユニット店舗。
【請求項６】
請求項１〜５いずれか記載の有無人ユニット店舗において、前記並設用構造物には、ユニットドアが開閉可能に設けられていることを特徴とする有無人ユニット店舗。
【発明の詳細な説明】
【０００１】
【発明の属する技術分野】本発明は、比較的小規模の有人店舗、無人店舗の双方が設置される店舗設備において、移動可能なユニット店舗に関する技術分野に属する。
【０００２】
【従来の技術】従来、簡易的な店舗構造として、商品の販売に販売員が関与する有人販売部と、商品の販売に販売員が関与しない無人販売部とを隣接するようにして設置する店舗形態が知られている。この店舗形態は、駅構内等の制限された空間（領域）に比較的小規模の店舗を設置して、消費者の多様化する商品の購入傾向、購入心理等に対応した販売を実現させようと提案されたものである。
【０００３】
このような従来の簡易的な店舗構造として、以下の特許文献１、２に記載の店舗構造が知られている。
【０００４】
【特許文献１】登録実用新案第３０３７２２６号
【特許文献２】実開平０７−１０２６６号
【０００５】
特許文献１は、商品の管理、セキュリティ等を考慮して、前面が開口された店舗本体と、店舗本体内に出し入れ可能な陳列体と、店舗本体に回動可能に装着されて店舗本体の開口する面に当接して開口面を閉鎖する蓋体に内蔵された陳列棚とから構成され、店舗本体を中心に、左右の陳列棚が店舗本体の前面を覆うよう回動する。
【０００６】
また、特許文献２の店舗構造は、建物本体の天井部に屋根部材を設け、さらに、建物本体の外壁に開閉窓を形成し、開閉窓には、窓全体を外部側から開閉自在に被覆する覆戸を設ける構成となっている。そして、下部側の覆板の下端を窓の下部側に蝶着して上下方向に回動自在に設け、上部側の覆板を外壁の下半部側に取付けた支持体で水平に支持させて陳列用の載架台を形成している。
【０００７】
【発明が解決しようとする課題】しかし、上記特許文献に係る店舗構造は、商品を販売する形態、例えば、販売員が商品を対面式で販売する対面式販売や自動販売機等の無人販売等の販売形態を設置場所や商品に対応させて変更するためには、設置されている陳列棚の解体・撤去や販売形態の変更に伴う対面、無人販売の販売領域確保が容易に行えない課題を有する。
【０００８】
特に、特許文献１では、店舗本体の左右に回動的に設置される陳列棚の収納領域を考慮した設置場所を選ばねばならず、設置条件に制約を受ける可能性を有している（店舗本体ごと移動したとしても、左右の陳列棚を広げるための領域が必要となる）。
【０００９】
さらに、特許文献１、２では、陳列棚の変更や販売領域を設置場所に対応して拡大、縮小させることは、構造上、解体等の作業が必要となる課題を有する。
【００１０】
さらには、自動販売機等の無人販売を行う際にも、自動販売機の設置領域を確保すると、対面式販売を行う領域が十分に確保されず、店舗領域を十分に活用することが困難である課題を有する。
【００１１】
また、特許文献１、２の店舗構造では、対面式販売と無人販売との組み合わせた販売、例えば、昼間は対面式販売を行い、夜間は自動販売機等の無人販売を行うような販売には不向きな構造となっており、無人販売と対面式販売とを個々に独立させて設置する構造を採らざるを得ない課題を有している。
【００１２】
このような上記課題から、本願出願人は、特開平２００１−１０７５８７号（特許第３３７８５４１号）に記載のように、必要に応じて、対面式販売と自動販売機等の無人販売とを任意に組み合わせ可能とさせるとともに、一体的で強固な店舗を構成することができる店舗システムの開発に成功している。
【００１３】
そこで、本願発明は、特開平２００１−１０７５８７号（特許第３３７８５４１号）をさらに発展させ、対面式販売領域（有人店舗部）、自動販売機等の無人販売（無人店舗部）を容易に変更可能とさせるとともに、商品の販売領域の拡大・縮小が可能とさせる有無人ユニット店舗を提供することを課題とする。
【００１４】
【課題を解決するための手段】前述の課題を解決するため、本発明に係る有無人ユニット店舗は、次のような手段を採用する。
【００１５】
即ち、請求項１では、商品の販売に販売員が関与する有人販売ユニットと、商品の販売に販売員が関与しない無人販売ユニットと、有人販売ユニットと無人販売ユニットとが並設される並設用構造物とを備えた有無人ユニット店舗において、前記有人販売ユニット及び前記無人販売ユニットは、形状等を共通化させて形成され、前記並設用構造物は、前記有人販売ユニットと前記無人販売ユニットとが選択的にスライド収容される複数の収容空間を備えていることを特徴とする。
【００１６】
この手段では、形状等を共通化させてユニット化された有人販売ユニットと無人販売ユニットとを、商品の販売形態や設置条件（駅構内等の限られたスペースから、屋外等のスペースに制限のない設置場所を含む）に対応させて、任意に複数選択し、並設用構造物の複数の収容空間に選択された複数の有人販売ユニットと無人販売ユニットとを、選択的にスライド収容することができる。
【００１７】
また、請求項２では、請求項１記載の有無人ユニット店舗において、前記有人販売ユニット又は前記無人販売ユニットで販売される商品を展示、陳列する商品展示ユニットが設けられるとともに、前記商品展示ユニットが前記有人販売ユニット及び前記無人販売ユニットの形状等と共通化されて形成されることを特徴とする。
【００１８】
この手段では、有人販売ユニット、無人販売ユニットで販売される商品を展示陳列する商品展示ユニットを、有人販売ユニット及び無人販売ユニットの形状等と共通化して形成することで、並設用構造物に収容される複数の有人販売ユニット又は無人販売ユニットで販売される商品に対応させて、商品展示ユニットを選択し、スライド収容することができる。
【００１９】
また、請求項３では、請求項１又は２記載の有無人ユニット店舗において、前記有人販売ユニット又は前記無人販売ユニットで販売される商品の宣伝、広告情報を表示する広告ユニットが設けられるとともに、前記広告ユニットが前記有人販売ユニット及び前記無人販売ユニットの形状等と共通化されて形成されることを特徴とする。
【００２０】
この手段では、有人販売ユニット、無人販売ユニットで販売される商品の宣伝、広告情報を表示する広告ユニットを、有人販売ユニット及び無人販売ユニットの形状等と共通化して形成することで、並設用構造物に収容される複数の有人販売ユニット又は無人販売ユニットで販売される商品に対応させて、広告ユニットを選択し、スライド収容することができる。
【００２１】
また、請求項４では、請求項１〜３いずれか記載の有無人ユニット店舗において、前記並設用構造物は移動手段を備えていることを特徴とする。
【００２２】
この手段では、移動手段によって有人販売ユニット、無人販売ユニット、商品展示ユニット、広告ユニットが並設される位置を変更可能とさせるとともに、各ユニットを収容した状態で並設用構造物を移動させることで、移動式簡易店舗として利用可能となる。
【００２３】
また、請求項５では、請求項１〜４いずれか記載の有無人ユニット店舗において、前記並設用構造物は、前記収容空間の背部側に予備空間を備えていることを特徴とする。
【００２４】
この手段では、並設用構造物に多目的に使用される予備空間、例えば、商品在庫、備品や配線設備のスペースとして利用可能とされる。
【００２５】
また、請求項６では、請求項１〜５いずれか記載の有無人ユニット店舗において、前記並設用構造物には、ユニットドアが開閉可能に設けられていることを特徴とする。
【００２６】
この手段では、有人販売ユニットと無人販売ユニットの前面側を覆うように開閉可能に設置されるユニットドアにより、有無人ユニット店舗の安全性（セキュリティ）の向上を図るとともに、ユニットドアに上記無人販売ユニットと同様な無人販売機能を設置した販売形態を提供することが可能となる。
【００２７】
【発明の実施の形態】以下、本発明に係る有無人ユニット店舗の実施の形態を図面に基づいて説明する。
【００２８】
図１〜図５は、本発明に係る有無人ユニット店舗１００の実施の形態（１）を示すものである。
【００２９】
この実施の形態（１）は、図１に示すように、有人販売ユニット１、無人販売ユニット２、並設用構造物３で構成されている。
【００３０】
有人販売ユニット１は、上面１１ａ、下面１１ｂ、２つの側面１１ｃの４面で囲まれたボックス形の外装体１１の内部に各部が組込まれてユニット化されている。外装体１１の内部には、前面側の中央部に商品、レジスタを載せるカウンタ１２が設けられ、カウンタ１２の下部に商品が陳列されてガラス幕板から透視可能にした商品陳列部１３がボックス形にユニット化されて設けられ、カウンタ１２の上部に販売員Ｍが客と対面する窓１４が設けられ、後面側に販売員Ｍが配置される販売員配置スペース１５が設けられている。
【００３１】
有人販売ユニット１に設けられる商品陳列部１３は、外装体１１の前面から外装体１１の下面１１ｂ、側面１１ｃ、カウンタ１２に囲まれる空間にスライドされて装着される。従って、商品陳列部１３については、陳列される商品の内容を異ならせたものを複数用意しておくことで、必要に応じて簡単に交換することができる。外装体１１の前面には、上部に店舗名、店舗に係るロゴ等を表示する表示部１６がボックス形にユニット化されて設けられている。従って、表示部１６については、表示内容を異ならせたものを複数用意しておくことで、必要に応じて簡単に交換することができる。本発明によれば、有人販売ユニット１の外装体１１における併設用構造物３との取付部形状（取付寸法を含む）と、後述する無人販売ユニット２の外装体２１における併設用構造物３との取付部形状（取付寸法）は、同一の基準又は規格で構成されている。したがって併設用構造物３の収容空間３６には、有人販売ユニット１及び無人販売ユニット２の双方を排他的に収容して装着することが可能となっている。
【００３２】
無人販売ユニット２は、上面２１ａ、下面２１ｂ、２つの側面２１ｃの４面で囲まれたボックス形の外装体２１の内部に各部が組込まれてユニット化されている。外装体２１の内部には、前面側に商品が陳列されてガラス幕板から透視可能にした商品陳列部２２がボックス形にユニット化されて設けられ、後面側に商品を収容して選択された商品を排出する商品取出機構や商品の温度を管理する冷却加温機構等を内蔵された本体部２３が設けられ、前面側、後面側を貫通する中央部に商品の選択を支持して代金を決済する操作部２４がボックス形にユニット化されて設けられている。従って、商品陳列部２２については、陳列される商品の内容を異ならせたものを複数用意しておくことで、必要に応じて簡単に交換することができる。また、操作部２４についても、集金、データ収集や故障の交換等のために簡単に取外すことができる。
【００３３】
また、有人販売ユニット１、無人販売ユニット２は、外装体１１、２１の幅ａと高さｂと奥行ｃとが同一の寸法、形状等に設計され、後述する並設用構造物３の収容空間３６に選択的にスライド収容されるように形成されている。
【００３４】
並設用構造物３は、上面３１、下面３２、２つの側面３３、後面３４の５面で囲まれ前面が開口された長箱形からなる。前面は、仕切壁３５によって２つに区画され、有人販売ユニット１、無人販売ユニット２の外装体１１、２１が嵌合により収容される収容空間３６が形成されている。この並設用構造物３は、奥行ｄが有人販売ユニット１、無人販売ユニット２の外装体１１、２１の奥行ｃよりも長く形成され、収容空間３６に続いて予備空間３７が形成されている。予備空間３７は、有人販売ユニット１、無人販売ユニット２の電気、通信用のケーブルの配線設備や吸排気系機器の設置や商品在庫の集積場所等して多目的に使用される。なお、側面３３には、予備空間３７に連通するドア３８が設けられている。
【００３５】
このように構成される有人販売ユニット１、無人販売ユニット２を、店舗設置場所（駅構内やデパート、ショッピングモール等）の販売形態に適合させるように、複数選択するとともに、選択した各販売ユニットを、並設用構造物に設けられる複数の収容空間３６に選択的にスライド収容することで、有無人ユニット店舗が形成されることになる。例えば、駅構内における設置場所の制限から、人通りの多い販売面には、有人販売ユニットを配置し、人が通ることができないスペースには、無人販売ユニットを配置するなど、設置場所の条件と商品の販売形態とから、並設用構造物３に設けられる複数の収容空間３６を任意に選択して有人販売ユニット１、無人販売ユニット２を配置させることができる。
【００３６】
この実施の形態（１）によると、有人販売ユニット１、無人販売ユニット２を並設用構造物３の前面側からスライドさせることによって、有人販売ユニット１と無人販売ユニット２とを並設用構造物３の収容空間３６に嵌合させて収容することができる。また、有人販売ユニット１、無人販売ユニット２を並設用構造物３から逆方向へスライドさせることによって、有人販売ユニット１、無人販売ユニット２を並設用構造物３の収容空間３６から抜出すことができる。そして、有人販売ユニット１、無人販売ユニット２の外装体１１、２１の幅ａ、高さｂ、奥行ｃの寸法が同一であることから、並設用構造物３の収容空間３６に収容される有人販売ユニット１、無人販売ユニット２を自由に選択すること可能になる。従って、面倒な改装工事や解体、撤去等を要することなく、頻繁に有人販売ユニット１、無人販売ユニット２を変更させることが可能となるとともに、限られた小スペースでの店舗設置においても、有人販売ユニット１、無人販売ユニット２のスライド収納性によって全方位（販売面等の方向、例えば、前面、背面、両側面）に向けての商品販売、宣伝を行うことが可能となり、販売スペースの有効活用が実現される。
【００３７】
さらに、有人販売ユニット１、無人販売ユニット２に設けられるボックス形にユニット化された商品陳列部１３、２２、表示部１６は、商品の形状や大きさ、販売戦略（例えば、宣伝、広告方法等）に応じて、有人販売ユニット１、無人販売ユニット２に対してユニット交換可能となっているので、商品の入れ替え、宣伝などに対応した店舗形態を提供することが可能となる。また、無人販売ユニット２においては、商品陳列部２２とは独立させて本体部２３、操作部２４を変更、交換、修理等をすることが可能となり、逆に、本体部２３、操作部２４はそのままで、独立ユニット化されている商品陳列部２３のみを取外しすることも可能である。したがって、商品陳列部２２、本体部２３、操作部２４が各々独立的にユニット化されているので、必要に応じて交換や集金、データ収集や故障の交換等のための簡単な取外しが提供される。
【００３８】
さらには、対面式販売等を行う有人販売ユニット１と無人販売ユニット２とを収容する収容空間３６が、予め並設用構造物３に設けられているため、各販売ユニットを任意の組み合わせで配置しても、有人販売ユニット１、無人販売ユニット２の販売領域が相互に干渉して、各々の販売領域を減少させることがなく、販売領域（店舗空間、領域等）を有効に活用できる。
【００３９】
また、具体的な有人販売ユニット１と無人販売ユニット２との並設例としては、図２に示すように、有人販売ユニット１、無人販売ユニット２を１ずつ並設し、図３に示すように、無人販売ユニット２のみを２つ並設しても良く、あるいは、図４に示すように、有人販売ユニット１のみを２つ並設する有無人ユニット店舗を構成しても良い。このように、有人販売ユニット１、無人販売ユニット２を２つずつ用意しておくことで、３つの並設形態を選択することができる。
【００４０】
特に、図３に示す無人販売ユニット２のみの並設は、人通りや販売量が少なくなる夜間等に有効である。また、図４に示す有人販売ユニット１のみの並設は、人通りや販売量が極端に多くなる通勤、通学時間帯に有効である。このように、時間帯や天候等により、有人販売ユニット１と無人販売ユニット２との組み合わせを自由に変更することで、有効な販売状況を提供することが可能となるとともに、夜間等に有人販売ユニット１を無人販売ユニット２に変更することは、盗難防止等を助成し、セキュリティを向上させる。
【００４１】
また、有人販売ユニット１、無人販売ユニット２に設けられている商品陳列部１３、表示部１６、商品陳列部２２、本体部２３、操作部２４の各々を並設用構造物３に直接に取付ける構成とすることも可能であり、例えば、有人販売ユニット１、無人販売ユニット２が収容される収容空間３６に、有人販売ユニット１及び無人販売ユニット２と同寸法の商品陳列部１３、２２を収容させることで、有人販売ユニット１、無人販売ユニット２と独立させる構成を採用することも可能である。なお、商品陳列部１３、表示部１６、商品陳列部２２、本体部２３、操作部２４を有人販売ユニット１及び無人販売ユニット２と同寸法に形成しなくても、各部を組み合わせ自由な配設が可能なユニットパネル等を配設することで、並設用構造物３に直接設置が可能とされる。
【００４２】
図６は、本発明に係る有無人ユニット店舗の実施の形態（２）を示すものである。
【００４３】
この実施の形態（２）の有無人ユニット店舗は、前述の実施の形態（１）の有人販売ユニット１と無人販売ユニット２の寸法、形状等と同一、共通化した商品展示ユニット４と広告ユニット５を設ける実施形態である。
【００４４】
商品展示ユニット４は、有人販売ユニット１、無人販売ユニット２で販売される商品を展示、陳列する機能を備え、実物の商品や画像、映像を組み合わせた商品の展示、陳列を行うように、画像表示装置、照明装置等も備えられている。
【００４５】
商品展示ユニット４は、上面４１ａ、下面４１ｂ、２つの側面４１ｃの４面で囲まれたボックス形の外装体４１の内部に各部が組込まれてユニット化されている。外装体４１の内部には、商品を展示、陳列する展示陳列部４２が設けられ、展示陳列部４２を照明する照明装置４３が展示陳列部４２の背面に位置するように設けられている。また、必要に応じて、展示陳列部４２又は照明装置４３に画像表示装置等を組み合わせて設けることも可能である。
【００４６】
広告ユニット５は、有人販売ユニット１、無人販売ユニット２で販売される商品の宣伝、広告情報を表示する機能を備え、商品展示ユニット４と同様に画像表示装置、照明装置等を備えて、ポスターや広告用紙等を設置する設置台等を設けるようにしても良い。
【００４７】
広告ユニット５は、上面５１ａ、下面５１ｂ、２つの側面５１ｃの４面で囲まれたボックス形の外装体５１の内部に各部が組込まれてユニット化されている。外装体５１の内部には、商品を宣伝、広告するための広告表示部５２が設けられ、広告表示部５２を照明する照明装置５３を必要に応じて設けるようにしても良い。広告表示部５２は、商品のコマーシャルや商品説明等の音声、画像を含めた広告情報を行う装置、例えば、液晶画面とスピーカー等の放映設備が具備されている。
【００４８】
このように構成される商品展示ユニット４、広告ユニット５は、前述の有人販売ユニット１、無人販売ユニット２と同様に、外装体１１、２１の幅ａと高さｂと奥行ｃとが同一の寸法、形状等に設計され、並設用構造物３の収容空間３６に選択的にスライド収容されるように形成されている。
【００４９】
この実施の形態（２）の有無人ユニット店舗は、上述の有人販売ユニット１、無人販売ユニット２と同一の寸法、形状等に形成されるため、販売されている商品の展示、陳列や宣伝、広告情報の提供が円滑に行われる。即ち、商品の入れ替え等の交換作業においても、独立ユニットされた商品展示ユニット４、広告ユニット５は、容易な交換作業を助成する。
【００５０】
さらに、前述の実施の形態（１）と同様に、人通りが少ない夜間等において、有人販売ユニット１、無人販売ユニット２と入れ替えることで、セキュリティをより一層向上させるとともに、商品の宣伝、広告情報を販売量が減少する時間帯に有効に発信することが可能となる。なお、人通りが多い時間帯に商品展示ユニット４、広告ユニット５をスライド収納させて、有人販売ユニット１又は無人販売ユニット２で商品販売を行っても差し支えはなく、販売領域（店舗領域）を有効に活用する観点からは、商品販売にはあまり適さない方向（人が通行できない個所等）に商品展示ユニット４や広告ユニット５を配置することは、販売促進や情報提供を助成する効果も奏される。
【００５１】
図７は、本発明に係る有無人ユニット店舗の実施の形態（３）を示すものである。
【００５２】
この実施の形態（３）では、並設用構造物３の下面３２に回転盤４を取付けて、並設用構造物３を回転移動させることができるようにしてある。
【００５３】
この実施の形態（３）によると、人通りの多い方向へ並設用構造物３の前面を向けたり、風が強い場合に並設用構造物３の前面を風から避けることが可能となる。
【００５４】
図８は、本発明に係る有無人ユニット店舗の実施の形態（４）を示すものである。
【００５５】
この実施の形態（４）では、建物５の側壁に並設用構造物３を収容するピット６を設け、ピット６の底面にレール７を敷設して、並設用構造物３をピット６の内部、外部にスライド移動させることができるように構成した実施形態である。
【００５６】
この実施の形態（４）によると、図８（Ａ）に示すように、昼間に有人販売ユニット１のみを２つ並設してピット６から引出して目立つように設置し、図８（Ｂ）に示すように、夜間に無人販売ユニット２のみを２つ並設してピット６に押込んで盗難等のセキュリティ性を高めて設置することができる。また、図７（Ｂ）に示す場合には、台風の際の待避壕として利用することもできる。
【００５７】
さらには、人の通行の妨げとなるような通行量の多い場合に、ピット６に並設用構造物３を収容した形で、前面側に有人販売ユニット１を設けて商品販売を行うように、販売領域を任意に設定することが可能となる。
【００５８】
図９は、本発明に係る有無人ユニット店舗の実施の形態（５）を示すものである。
【００５９】
この実施の形態（５）では、並設用構造物３を相対させて長手方向に複数並設し、相対する並設用構造物３の間に屋根８を架設してある。
【００６０】
この実施の形態（５）によると、いわゆるアーケード街を形成することができる。したがって、屋内屋外を問わず、設置条件により異なる販売領域を最大限に活用可能とさせるとともに、有人販売ユニット１、無人販売ユニット２、商品展示ユニット４、広告ユニット５を自由に組み合わせて並設用構造物３に設置することができるため、有効な販売形態を容易に提供することができる。
【００６１】
図１０は、本発明に係る有無人ユニット店舗の実施の形態（６）を示すものである。
【００６２】
この実施の形態（６）では、並設用構造物３をＬ字形に配置して、並設用構造物３の間に屋根８を架設してある。
【００６３】
この実施の形態（６）によると、複数の並設用構造物３の間にオープンエアの共通空間を形成することができる。例えば、設置条件に角部が含まれる場合、角部を有効に活用して、販売領域内に多くの人が通行でき、屋外等では、明確な販売領域を確保するとともに、確保された販売領域に人を引き込んで販売することができるため、販売促進が図られる。
【００６４】
図１１は、本発明に係る有無人ユニット店舗の実施の形態（７）を示すものである。
【００６５】
この実施の形態（７）では、立方体形の並設用構造物３の側面の４面にそれぞれ収容空間３６を卍形の配置で設けてある。また、並設用構造物３の前面でもあり側面３３ともなる部分に、広告等の表示部３９を設けてある。
【００６６】
この実施の形態（７）によると、有人販売ユニット１、無人販売ユニット２の並設を多面化することができる。また、表示部３９は、並設用構造物３の側面３３の側面の露出を避けて外観体裁を良好にする。
【００６７】
図１２は、本発明に係る有無人ユニット店舗の実施の形態（８）を示すものである。
【００６８】
この実施の形態（８）では、並設用構造物３の平面形状を円形にして、有人販売ユニット１、無人販売ユニット２が並設される面を円周面としてある。
【００６９】
この実施の形態（８）によると、有人販売ユニット１、無人販売ユニット２の前面が円弧面となって装飾性が高められる。
【００７０】
図１３、図１４は、本発明に係る有無人ユニット店舗の実施の形態（９）を示すものである。
【００７１】
この実施の形態（９）の有無人ユニット店舗は、前述の実施の形態の並設用構造物３に開閉可能なユニットドア４０が設けられる実施形態である。
【００７２】
この有無人ユニット店舗は、有人販売ユニット１、無人販売ユニット２、並設用構造物３、並設用構造物３の両側に開閉可能に設けられるユニットドア４０とで構成されている。
【００７３】
ユニットドア４０は、有人販売ユニット１又は無人販売ユニット２の前面側を覆うことが可能な大きさに形成され、ユニットドア４０の端部が並設用構造物３に回動的な開閉を可能とさせるように取付けられ（図１３（Ｂ）参照）、並設用構造物３には、ユニットドア４０を収納するための収納スペース４５を設けている。なお、回動的な開閉ではなく、引き戸のように、左右に移動可能なレール等を設置して開閉動作をさせる構成によりユニットドア４０を設置してもよい。
【００７４】
この実施の形態（９）では、左右の２枚のユニットドア４１、４２が設けられているが、引き戸のような左右に移動可能な取付けにおいては、一枚のユニットドア４０で構成することも可能である。よって、ユニットドア４０は、有人販売ユニット１、無人販売ユニット２と同様にユニット化された独立設置が可能な構成となっている。
【００７５】
左側ユニットドア４１には、商品のコマーシャルや商品説明等の画像の広告情報を配信するディスプレイ部４１ａと、ディスプレイ部４１ａに対応した音声等を出力する出力部４１ｂとが設けられ、有人販売ユニット１や無人販売ユニット２で販売されている商品に係る情報等を常に配信できるように構成されている。
【００７６】
また、右側ユニットドア４２には、商品陳列部４２ｃと操作部４２ｄとで構成される無人販売機と、無人販売機で販売される商品の説明や案内、又は視聴等が可能な案内表示部４２ａと案内操作部４２ｂとが設けられている。例えば、ゲームソフトや音楽等のＣＤ−ＲＯＭ、ＤＶＤ等の商品を案内表示部４２ａや案内操作部４２ｂで案内説明や視聴を消費者が行い、商品陳列部４２ｃに陳列されている商品を購入するようにユニットドア４２を構成する。また、その他に、地域、町内等の自治体情報やイベント情報、企業情報等の配信を行うことが可能であり、特に、区役所や市役所等の役所に提出する書類や請求等の自治体サービス等が提供可能となる。さらには、インターネット等のネットワークに接続して、Ｗｅｂ上で販売している商品を表示し、有人販売ユニット１、無人販売ユニット２で販売していない商品等の商品予約をその場で行う機能を備えるように構成することで、インターネット販売を融合させた複合販売形態を提供することも可能となる。
【００７７】
この実施の形態（９）によると、並設用構造物３に収容されている有人販売ユニット１又は無人販売ユニット２の前面側を覆うように回動的な開閉可能なユニットドア４０を設置することで、有人販売ユニット１又は無人販売ユニットでの商品販売が終了した深夜等における安全性（セキュリティ）を向上させること効果が奏されるとともに、閉時のユニットドア４０の前面側にもディスプレイ部４１ａ等を設置することで商品の宣伝、広告情報を配信可能とさせる。
【００７８】
さらに、開時のユニットドア４１、４２は、商品の宣伝、広告、案内、販売等を行う機能を有しているため、販売スペースを有効に活用した販売形態を提供することが可能となる。
【００７９】
また、図１４に示しように、有人販売ユニット１や無人販売ユニット２をトラック等の移動車両に収容することも可能である。例えば、トラック等の荷台部に並設用構造物３のように有人販売ユニット１、無人販売ユニット２が収容可能な収容空間３６を形成すれば、有人販売ユニット１、無人販売ユニット２を任意に選択して移動しながら商品の販売、宣伝を可能となり移動性が向上される。
【００８０】
以上、図示した実施の形態の外に、並設用構造物３の平面形状を多角形とすることも可能である。
【００８１】
さらに、有人販売ユニット１、無人販売ユニット２の外装体１１、２１の奥行ｃを異ならせることも可能である。この実施の形態については、並設用構造物３に備えられている予備空間３６で寸法差を吸収することができるため、有人販売ユニット１、無人販売ユニット２の並設に支障が生ずることはない。
【００８２】
また、並設用構造物３内に対面するように有人販売ユニット１や無人販売ユニット２を設置することで、簡易店舗に販売形態を提供することも可能であり、レール７による移動手段の他に、キャスターのような移動手段を採用すれば、設置作業等がより向上され、図１４に示す実施形態においても、容易に各ユニットの入れ替えが容易に行われる。
【００８３】
【発明の効果】以上のように、本発明に係る有無人ユニット店舗は、有人販売ユニット、無人販売ユニットを、並設用構造物の収容空間に嵌合させて収容することができ、有人販売ユニット、無人販売ユニットを並設用構造物から逆方向へスライドさせることによって、有人販売ユニット、無人販売ユニットを並設用構造物の収容空間から抜出すことができるので、対面式販売領域（有人販売ユニット）、自動販売機等の無人販売（無人販売ユニット）を容易に変更可能とさせる。
【００８４】
さらに、有人販売ユニット、無人販売ユニットの寸法が同一であることから、並設用構造物の収容空間に収容される有人販売ユニット、無人販売ユニットを自由に選択すること可能になる。従って、面倒な改装工事や解体、撤去等を要することなく、頻繁に有人販売ユニット、無人販売ユニットを変更させることが可能となるとともに、限られた小スペースでの店舗設置においても、有人販売ユニット、無人販売ユニットのスライド収納性によって全方位（販売面等の方向、例えば、前面、背面、両側面）に向けての商品販売、宣伝を行うことが可能となり、販売スペースの有効活用が実現される。
【００８５】
さらには、並設用構造物を複数組み合わせて販売領域を設置条件に対応させて拡大、縮小をさせ、さらに、拡大、縮小した販売領域に適合する販売形態から、有人販売ユニット、無人販売ユニット、商品展示ユニット、広告ユニット等を選択するとともに、並設用構造物の複数の収容空間に自由に配置可能となるので、商品販売が助成される。
【図面の簡単な説明】
【図１】本発明に係る有無人ユニット店舗の実施の形態（１）示す非並設状態の斜視図であり、（Ａ）は有無人ユニット店舗の構成図、（Ｂ）は有人販売ユニット、無人販売ユニットの構成図を示すものである。
【図２】図１の並設の一例である。
【図３】図１の並設の他例である。
【図４】図１の並設の他例である。
【図５】図２の横断面図である。
【図６】本発明に係る有無人ユニット店舗の実施の形態（２）示す非並設状態の斜視図であり、（Ａ）は有無人ユニット店舗の構成図、（Ｂ）は商品展示ユニット、広告ユニットの構成図を示すものである。
【図７】本発明に係る有無人ユニット店舗の実施の形態（３）の並設状態の動作を示す斜視図である。
【図８】本発明に係る有無人ユニット店舗の実施の形態（４）の並設状態を示すもので、（Ａ）、（Ｂ）の間での移動を表している。
【図９】本発明に係る有無人ユニット店舗の実施の形態（５）の並設状態を示す斜視図である。
【図１０】本発明に係る有無人ユニット店舗の実施の形態（６）の並設状態を示す斜視図である。
【図１１】本発明に係る有無人ユニット店舗の実施の形態（７）の非並設状態を示す斜視図である。
【図１２】本発明に係る有無人ユニット店舗の実施の形態（８）の並設状態を示す平面図である。
【図１３】本発明に係る有無人ユニット店舗の実施の形態（９）の並設状態を示す斜視図であり、（Ａ）はユニットドアの展開構成図、（Ｂ）はユニットドアの開閉時の状態を示す断面図を示すものである。
【図１４】図１３の別形態を示す斜視図である。
【符号の説明】
１                有人販売ユニット
２                無人販売ユニット
３            並設用構造物
４            商品展示ユニット
５            広告ユニット
３６          収容空間
３７          予備空間
４０          ユニットドア
【図１】
2004332245.tif 000003
【図２】
2004332245.tif 000004
【図３】
2004332245.tif 000005
【図４】
2004332245.tif 000006
【図５】
2004332245.tif 000007
【図６】
2004332245.tif 000008
【図７】
2004332245.tif 000009
【図８】
2004332245.tif 000010
【図９】
2004332245.tif 000011
【図１０】
2004332245.tif 000012
【図１１】
2004332245.tif 000013
【図１２】
2004332245.tif 000014
【図１３】
2004332245.tif 000015
【図１４】
2004332245.tif 000016